(57)【要約】【課題】  マグネットロール組み立てに際し、作業効率を向上し、誤接着を予防する。【解決手段】  周方向において分割された断面略扇形形状の複数のマグネットロール用磁石５〜９をシャフト４の周面に接着し、一体化してマグネットロール３とする。マグネットロール用磁石５〜９のうちの少なくともいずれか１つ（マグネットロール用磁石５）に識別用の溝５ｃを設け、この識別用の溝５ｃを利用してマグネットロール用磁石５をシャフト４の所定の位置に接着する。識別用の溝は、マグネットロール用磁石の外周面における中心線から外れた位置に形成されていることが好ましい。【選択図】  図４
2007108520.tif 000002
【特許請求の範囲】
【請求項１】
外周面における中心線から外れた位置に溝が形成されていることを特徴とするマグネットロール用磁石。
【請求項２】
側面に溝が形成されていることを特徴とするマグネットロール用磁石。
【請求項３】
前記溝の形成位置は、外周面端部から０．２ｍｍ以上、中心線から２．０ｍｍ以上離れた位置であることを特徴とする請求項１記載のマグネットロール用磁石。
【請求項４】
前記溝の形成位置は、側面上端部から０．５ｍｍ〜２．５ｍｍの位置であることを特徴とする請求項２記載のマグネットロール用磁石。
【請求項５】
前記溝の深さは、０．２ｍｍ〜１ｍｍであることを特徴とする請求項１から４のいずれか１項記載のマグネットロール用磁石。
【請求項６】
前記溝の幅は、０．２ｍｍ〜２ｍｍであることを特徴とする請求項１から５のいずれか１項記載のマグネットロール用磁石。
【請求項７】
周方向において分割された断面略扇形形状の複数のマグネットロール用磁石がシャフトの周面に接着され、一体化されてなるマグネットロールであって、
前記複数のマグネットロール用磁石のうちの少なくともいずれか１つに請求項１から６のいずれか１項記載のマグネットロール用磁石を用いたことを特徴とするマグネットロール。
【請求項８】
周方向において分割された断面略扇形形状の複数のマグネットロール用磁石をシャフトの周面に接着し、一体化するマグネットロールの製造方法であって、
前記複数のマグネットロール用磁石のうちの少なくともいずれか１つに請求項１から６のいずれか１項記載のマグネットロール用磁石を用い、このマグネットロール用磁石に設けられた溝を利用してマグネットロール用磁石を所定の位置に接着することを特徴とするマグネットロールの製造方法。
【請求項９】
前記複数のマグネットロール用磁石が複数種類のマグネットロール用磁石から構成されており、前記マグネットロール用磁石に設けられた溝によりマグネットロール用磁石の種類を識別してシャフトの所定の位置に接着することを特徴とする請求項８記載のマグネットロールの製造方法。
【請求項１０】
前記マグネットロール用磁石が方向性を有し、前記マグネットロール用磁石に設けられた溝によりマグネットロール用磁石の方向を識別してシャフトに所定の向きで接着することを特徴とする請求項８記載のマグネットロールの製造方法。
【発明の詳細な説明】
【技術分野】
【０００１】
本発明は、複写機やプリンタ等に装着されるマグネットロールに用いられるマグネットロール用磁石、及びそれを用いたマグネットロール、さらにはマグネットロールの製造方法に関するものであり、特に、断面略扇形形状のマグネットロール用磁石をシャフトに正確に接着するための技術に関する。
【背景技術】
【０００２】
複写機やプリンタ等の感光ドラムに形成された静電潜像を可視化する現像ロールとしては、シャフトの周面に磁石を備えたマグネットロールが広く用いられている。例えばジャンピング方式では、マグネットロールの磁力によってトナーを飛ばし、これを感光ドラムに付着させている。ブラシ方式では、鉄粉に代表される磁性粉（キャリア）とトナーの混合物を、マグネットロールの磁力によって感光ドラムに搬送するようにしている。いずれの場合にも、マグネットロールの磁力によって感光ドラムにトナーが供給され、これを紙等に定着することで、静電潜像に応じた文字や画像等が印刷され、可視化される。
【０００３】
マグネットロールの形態としては、様々な形態のものが知られており、例えば前記ジャンピング方式用のマグネットロールとして、汲み上げ極、搬送極、現像極、回収極の４極から構成されるものがある。ブラシ方式用のマグネットロールとしては、前述の４極に剥離極を加えた５極から構成されるもの、さらにはそれ以上の数の極（例えば７極等）から構成されるもの等がある。
【０００４】
そして、これら４極、あるいは５極の磁極を作り出すマグネットロール用磁石は、以下の２種類のものに大別される。先ず第１は、シャフトの周囲に中空円筒状に一体成形したもの、あるいは中空円筒状に成形し、中心部にシャフトを固着したものである。第２は、例えば磁石粉とバインダーの混合物を断面略扇形等の形状に成形したものである。この断面略扇形のマグネットロール用磁石をシャフトの周囲に複数接着することで、円筒状のマグネットロールが構成される。なお、マグネットロールの形状としては、円筒状に限らず、四角形状等、様々な形状のものも知られている。
【０００５】
ただし、前者のように一体化した構造のものでは、複数の磁極の形成が難しく、また特性的にも対応が難しい。複写機やプリンタ等の小型化が進むにつれて、マグネットロールも小径化する傾向にあり、しかも、高い磁力が要求されるようになってきている。特に、トナーを感光ドラムへ搬送するために用いられる現像極（主極）は、前記要求が厳しい。前記一体化した構造のマグネットロール用磁石では、要求に十分に応え得る現像極を形成することは不可能に近い。
【０００６】
このような状況から、後者の構造（扇形形状のマグネットロール用磁石を複数貼り合わせた構造）のマグネットロールが種々提案され、その改良が進められている（例えば、特許文献１等を参照）。
【０００７】
特許文献１記載の発明は、磁力を制御することを目的とするものであり、断面が扇形の複数のマグネットピースを、その要部分を内側にして組み合わせる事で、形成したマグネットロールにおいて、扇状マグネットピースの外周部形状を、要求される磁気特性に対応し変更することで、必要とされる性能を満足できるようにしている。
【特許文献１】特開２００３−２０９０１３号公報
【発明の開示】
【発明が解決しようとする課題】
【０００８】
ところで、扇形形状のマグネットロール用磁石を複数貼り合わせた構造のマグネットロールにおいては、マグネットロール本体組み立てに際し、作業効率が悪く、マグネットロール用磁石の誤接着が生じ易いという問題がある。前記構造のマグネットロールでは、例えば現像極や汲み上げ極、層規制極、搬送極、剥離極等、機能の異なるマグネットロール用磁石を組み合わせるのが通常である。これら機能が異なるマグネットロール用磁石においては、機能に応じて磁気パターンが異なっており、これら磁気パターンの異なるマグネットロール用磁石を所定の順序でシャフトに貼り合わせる必要がある。このとき、各マグネットロール用磁石の形状が同一または近似した形状であると、外観から識別することが困難となり、誤接着する原因となる。また、いちいち前記磁気パターンを測定機器等によって確認しながら接着するのでは、作業効率を大きく低下することにもなる。
【０００９】
あるいは、マグネットロール用磁石の磁気パターンが外周面の周方向において左右非対称である場合がある。このような場合にはマグネットロール用磁石が方向性を有することになるため、シャフトへの取り付け方向に留意する必要がある。しかしながら、この場合にも外観から前記方向性を識別することが難しく、やはり誤接着の原因となったり、作業効率を低下する原因となる。
【００１０】
このような状況の中、従来技術においては、マグネットロール磁石の識別に関して、例えば磁石側面にインクによりマーキングすることが行われている。しかしながら、この方法では、インクが薄く判別困難となったり、逆にインクが多すぎた場合には、はみ出しにより寸法精度や機能を損なうおそれがある。また、インクの種類によってはマーキング後に剥離を起こし、異物付着の原因となることもある。さらに、マグネットロール用磁石成形後にマーキングされるので、誤マーキングの原因となるばかりでなく、工程が増え、コスト増の原因にもなり、その改善が要望されている。本発明は、このような従来の実情に鑑みて提案されたものであり、マグネットロール組み立てに際し、作業効率を向上することができ、誤接着を予防することが可能なマグネットロール用磁石を提供することを目的とし、さらにはマグネットロール及びその製造方法を提供することを目的とする。
【課題を解決するための手段】
【００１１】
前述の目的を達成するために、本発明のマグネットロール用磁石は、外周面における中心線から外れた位置に溝が形成されていることを特徴とする。あるいは、側面に溝が形成されていることを特徴とする。また、本発明のマグネットロールは、周方向において分割された断面略扇形形状の複数のマグネットロール用磁石がシャフトの周面に接着され、一体化されてなるマグネットロールであって、前記複数のマグネットロール用磁石のうちの少なくともいずれか１つに外周面における中心線から外れた位置または側面に溝が形成されたマグネットロール用磁石（請求項１から６のいずれか１項記載のマグネットロール用磁石）を用いたことを特徴とする。
【００１２】
さらに、本発明のマグネットロールの製造方法は、周方向において分割された断面略扇形形状の複数のマグネットロール用磁石をシャフトの周面に接着し、一体化するマグネットロールの製造方法であって、前記複数のマグネットロール用磁石のうちの少なくともいずれか１つに外周面における中心線から外れた位置または側面に溝が形成されたマグネットロール用磁石（請求項１から６のいずれか１項記載のマグネットロール用磁石）を用い、このマグネットロール用磁石に設けられた溝を利用してマグネットロール用磁石を所定の位置に接着することを特徴とする。
【００１３】
本発明においては、マグネットロールを構成するマグネットロール用磁石に識別用の溝が設けられており、外観から容易にマグネットロール用磁石の種類等が把握される。したがって、当該識別用の溝を利用してマグネットロール用磁石をシャフトに接着すれば、誤接着が防止される。また、識別のための手間が不要であるので、作業効率も向上する。
【００１４】
特に、マグネットロール磁石に関する識別機能の向上と、その磁気パターンへの影響を考えた場合には、前記識別用の溝は、マグネットロール用磁石の外周面における中心線から外れた位置、あるいは側面に形成する。
【００１５】
例えば、前記識別用の溝がマグネットロール用磁石の外周面における中心線位置に形成されている場合、マグネットロール用磁石の種類は識別可能であるが、マグネットロール用磁石の方向を識別することはできない。これに対して、前記識別用の溝をマグネットロール用磁石の外周面における中心線から外れた位置や側面に形成すれば、マグネットロール用磁石の方向まで把握することができる。また、通常、マグネットロール用磁石においては、前記中心線位置に磁気パターンのピークが位置することが多い。このような場合、前記識別用の溝を前記中心線位置に形成すると、磁気パターンへの影響が大きくなり、所定の磁気特性が得られなくなるおそれがある。
【００１６】
マグネットロール用磁石の外周面に溝を形成することは、例えば前述の特許文献１にも開示されている。特許文献１記載の発明では、マグネットピースの外周中央部に切り欠きを形成することにより、磁界分布をコントロールするようにしている。したがって、特許文献１と本願発明とでは、溝を形成する目的が全く異なり、識別に関する記載は特許文献１においては皆無である。本願発明では、前記溝の形成は、マグネットロール用磁石の識別を目的としており、またマグネットロール用磁石の磁気パターンに影響を与えることがないように形成することが主旨であり、前記特許文献１記載の技術とは技術思想が全く異なる。
【００１７】
また、マグネットロールの位置決めを目的として、位置決め手段としての溝を磁石体の外周面に形成した例として、例えば特開平６−２３０６７８号公報記載の発明を挙げることができるが、前記位置決め手段としての溝は、マグネットロールを現像装置に組み込む際の位置決めを目的とするものである。したがって、本願発明のように複数のマグネットロール用磁石をシャフトに組み立てる際にマグネットロール用磁石の種類や方向を識別するものとは大きく異なる。前記公報記載の発明が対象としているのは、円柱形の一体型シャフトレスマグネットロールであり、マグネットロール用磁石をシャフトへ接着するものとは異なる構造であるので、前記相違は当然とも言える事項である。
【発明の効果】
【００１８】
以上のように、本発明によれば、マグネットロール組み立てに際し、マグネットロール用磁石の種類や方向等を簡単に把握することができ、その結果、作業効率を大幅に向上することが可能であり、さらには誤接着を予防することも可能である。
【発明を実施するための最良の形態】
【００１９】
以下、本発明を適用したマグネットロール及びその製造方法について、図面を参照して詳細に説明する。
【００２０】
先ず、マグネットロールが組み込まれる現像ロールの構造について説明すると、図１乃至図３に示すように、現像ロール１は、円筒形状のスリーブ２の中にマグネットロール３を組み込むことにより構成されている。スリーブ２は、例えばアルミニウムにより形成されており、前記マグネットロール３を収容するに足る長さの筒状体として形成されている。また、スリーブ２と内周面と、この中に収容されるマグネットロール３の外周面の間には、所定間隔の空隙が形成されている。
【００２１】
マグネットロール３は、例えば金属製のシャフト４の周囲に複数のマグネットロール用磁石、ここでは５分割されたマグネットロール用磁石５，６，７，８，９を配列し、接着固定することにより構成されている。各マグネットロール用磁石５〜９は、いずれも断面形状が略扇形であり、これらをシャフト４の周囲に貼り合わせることで、全体形状が円筒形の磁石体が構成されることになる。
【００２２】
各マグネットロール用磁石５〜９は、バインダー（プラスチック系やゴム系等）と磁石粉末を含む混合物を押し出し成形、あるいは射出成形することにより形成されるものである。ここで、前記バインダーの種類は、特に限定されないが、具体的には、ポリアミド樹脂（ナイロン６、ナイロン１２等）や、ポリプロピレン、ポリエチレン等のポリオレフィン樹脂、ポリカーボネート樹脂、ニトリルゴム（ＮＢＲ）、クロロプレンゴム等の合成ゴム、あるいは天然ゴム等を用いることができる。磁石粉末としては、フェライト磁石粉末（例えば、Ｓｒ系フェライト粉末やＢａ系フェライト粉末等）や、希土類金属磁石粉末（例えば、ＳｍＣｏ系、ＮｄＦｅＢ系、ＳｍＦｅＮ系等）等を挙げることができる。これらの中から要求される特性に応じて選定すればよい。
【００２３】
マグネットロール用磁石５〜９は、それぞれ径方向に磁化されており、外周面側がＮ極、あるいはＳ極とされ、マグネットロール１の外周面において、例えばＮ極とＳ極が交互に配列されように貼り合わされている。これらマグネットロール用磁石５〜９は、それぞれ汲み上げ極、層規制極、搬送極、現像極、剥離極として機能し、スリーブ２に所定の配列で取り付けられている。
【００２４】
シャフト４は、金属等の高強度材料により形成されており、周面に貼り付けられるマグネットロール用磁石５〜９の長さよりも長く、したがって、周面に前記マグネットロール用磁石５〜９を貼り付けた際に、その両端が露呈する形になっている。露呈したシャフト４の両端部は、前記スリーブ２の両端に設けられたフランジ１０，１１に対し、軸受け１２，１３を介して回転可能に挿入されている。なお、シャフト４の一端側はフランジ１０を挿通し外方まで延在されているが、他端側はフランジ１１に突き当てられ、このフランジ１１にシャフト４を延長する如くシャフト部１１ａが設けられている。
【００２５】
ここで、図３における右側のフランジ１１の側からシャフト部１１ａを回転駆動すると、フランジ１１を介して回転がスリーブ２に伝達される。したがって、この右側のフランジ１１は、駆動側フランジと称され、耐摩耗性に優れた非磁性材料（例えば、アルミニウム、アルミニウム合金、ステンレス等）によって形成される。これに対して、図３における左側のフランジ１０は、従動側フランジと称され、マグネットロール３をスリーブ２内に保持する機能を有し、例えばアルミニウム、アルミニウム合金、ステンレス、樹脂材料等によって形成される。
【００２６】
以上がマグネットロール及び現像ロールの概略構成であるが、本発明のマグネットロールにおいては、マグネットロール用磁石５〜９のうちの少なくともいずれか１つ（本例の場合、マグネットロール用磁石５）に識別用の溝５ｃが形成されていることが大きな特徴である。以下、この識別用の溝について説明する。
【００２７】
前記の通り、マグネットロール用磁石５〜９は、それぞれ汲み上げ極、層規制極、搬送極、現像極、剥離極として機能し、スリーブ２に所定の配列で取り付けられる必要がある。このとき、各マグネットロール用磁石５〜９の形状が大きく異なっていれば、取り違えるおそれは少なく、誤接着の可能性は少ない。これに対して、各マグネットロール用磁石５〜９の形状が同一または近似した形状である場合には、これらを外観で識別することは難しく、誤接着の原因となる。
【００２８】
そこで、例えば図４に示すように、マグネットロール用磁石５〜９の少なくともいずれか１つ（マグネットロール用磁石５）に識別用の溝を設けておけば、このマグネットロール用磁石５を他のマグネットロール用磁石６〜９と確実に識別することができ、前記配列に応じて所定の位置に接着することができる。
【００２９】
前記マグネットロール用磁石５は、断面が略扇形を呈するように長尺状に成形されており、その内周面５ａ及び外周面５ｂは、それぞれ円弧状の曲面とされている。特に、内周面５ａは、シャフト４の外周面の曲率とほぼ等しい曲率を有する円弧面とされ、マグネットロール用磁石５をシャフト４に貼り合わせた際には、この内周面５ａがシャフト４の外周面に沿った形で面接触状態とされることになる。本例の場合、前記外周面５ｂに断面円弧状の溝５ｃを識別用の溝として形成し、マグネットロール用磁石５の識別に利用するようにしている。なお、略扇形のマグネットロール用磁石５において、内周面５ａと外周面５ｂとは同心円形状とするのが通常であるが、これらの曲率中心をずらすことで内周面５ａと外周面５ｂの円弧形状を前記同心円形状から互いにずらすことも可能である。
【００３０】
なお、ここではマグネットロール用磁石５にのみ識別用の溝５ｃを形成するようにしたが、２つ以上のマグネットロール用磁石に識別用の溝を設けておくことも可能である。この場合、前記汲み上げ極、層規制極、搬送極、現像極、剥離極等に応じて、これら極を構成するマグネットロール用磁石に形成される識別用の溝の数や位置等を変更すれば、各極を構成するマグネットロール用磁石を確実に識別することが可能となる。
【００３１】
また、前記のようにマグネットロール用磁石５〜９をＮ極とＳ極が交互に配列されように貼り合わせる場合には、例えば図５に示すように、外周面がＮ極であるマグネットロール用磁石５，７に前記識別用の溝５ｃ，７ｃを形成しておけば、磁極の向きを間違えることなくシャフト４に接着することが可能である。
【００３２】
さらには、前記識別用の溝５ｃは、マグネットロール用磁石５の接着方向の識別に利用することも可能である。例えば、図６に示すように、マグネットロール用磁石５の磁気パターンにおいて、磁界のピークの位置が外周面の中心線からずれている場合（磁気パターンが非対称な場合）には、図６（ａ）に示す方向でマグネットロール用磁石５をシャフト４に接着した場合と、図６（ｂ）に示す方向でマグネットロール用磁石５をシャフト４に接着した場合とで、前記磁界のピークの位置が異なることになる。そこで、前記のように識別用の溝５ｃを前記中心線からずらした位置に形成しておけば、溝５ｃの位置からマグネットロール用磁石５の磁気パターンを考慮した方向性を識別することができ、シャフト４に対して確実に所定の方向に接着することが可能になる。なお、ここで言う磁気パターンとは、各マグネットロール用磁石に対応してスリーブ上で測定される周方向の磁界分布であり、マグネットロールにおいては、機能に応じて様々な磁気パターンを有するマグネットロール用磁石が用いられる。
【００３３】
前記識別用の溝は、例えば成形後の成形体に対して後加工（溝加工）により形成しても良いが、予め成形用の金型に突部を設ける等、金型を識別用の溝に対応した形状としておき、成形時に溝が形成されるようにすることがより好ましい。成形時に前記識別用の溝が形成されるようにすれば、誤マーキングを完全に防止することができ、後加工追加によるコスト増がなく、後加工による研削粉等の異物の発生もなくなる。また、マグネットロール用の磁石の長手方向に対しては、その全長にわたって溝が形成されてもよいが、部分的に溝が形成されていても良い。通常マグネットロール用磁石は長手方向に対し均一な磁界分布が要求されるため、一様な形状をとることが多い。しかし、本発明では磁気特性に実質的な影響を与えず、かつ識別を容易にする溝を形成することが特徴であるので、長手方向に対しても磁気特性分布の実質的な影響はないためである。この部分的な溝形成は、成形後の後加工、あるいは射出成形によって実現できる。一方、長手方向全長にわたる溝形成は、後加工、射出成形あるいは押出し成形にて容易に実現できる。
【００３４】
前記マグネットロール用磁石５に形成される識別用の溝５ｃとしては、図４に示すものに限られず、種々の変更が可能である。図７に、識別用の溝５ｃの他の例を例示する。例えば、図７（ａ）は、識別用の溝５ｃを断面略Ｖ字状とした例である。ただし、マグネットロール用磁石５の成形を考えた場合には、図４に示すような断面円弧状の溝５ｃである方が有利である。図７（ａ）に示すように識別用の溝５ｃを断面略Ｖ字状とした場合、マグネットロール用磁石５を成形する金型にＶ字状の部分を形成する必要があり、この部分で金型摩耗が懸念され、また製品コンタミネーションが生ずる可能性もある。その他の形状として矩形状、台形状等が例示される。
【００３５】
図７（ｂ）は、識別用の溝５ｃをマグネットロール用磁石５の側面５ｄに形成した例である。マグネットロール用磁石５の外周面５ｂに識別用の溝５ｃを形成すると磁気パターンに影響を与えるおそれがあるような場合には、図７（ｂ）に示すようにマグネットロール用磁石５の側面５ｄに識別用の溝５ｃを形成すれば、前記磁気パターンへの影響を最小限に抑えることができる。このように、磁気パターンの都合上、外周面に識別用の溝を入れられない場合の他、左右識別を明確にしたい場合、あるいは類似形状が３個以上あり、識別が煩雑になる場合等に側面に溝を形成することが有効である。
【００３６】
図７（ｃ）は、マグネットロール用磁石５の外周面５ｂに複数（ここでは２本）の識別用の溝５ｃを設けた例であり、図７（ｄ）はマグネットロール用磁石５の外周面５ｂと側面５ｄの両方に識別用の溝５ｃを設けた例である。なお、図７（ｄ）においては、外周面５ｂの溝５ｃをＶ字状の溝としている。機能や磁界分布等が異なる複数種類のマグネットロール用磁石を組み合わせてマグネットロールを構成する場合、識別用の溝５ｃの形成位置、数等を変えることで、汲み上げ極、層規制極、搬送極、現像極、剥離極等を構成するマグネットロール用磁石を確実に識別することが可能となり、シャフト４に所定の配列で接着することが可能になる。
【００３７】
ところで、マグネットロール用磁石に前記のような識別用の溝を形成する場合、その形成位置に注意を払う必要がある。例えば、通常、マグネットロール用磁石における磁気パターンのピーク位置は、外周面の中心線位置と一致させることが多い。したがって、前記識別用の溝を前記中心線位置に設けると、磁気パターンへの影響が大きい。また、識別用の溝を前記中心線位置に設けた場合、方向性については識別することができなくなる。
【００３８】
したがって、図４に示すように、識別用の溝５ｃは、マグネットロール用磁石５の外周面５ｂの端部に沿って形成することが好ましいが、この場合、外周面５ｂの端部から溝５ｃまでの距離ｔは、０．２ｍｍ以上とすることが好ましい。前記距離ｔが０．２ｍｍ未満であると、溝５ｃと外周面５ｂの端部との間の部分が微細なものとなり、成形時に削れや欠け、脱落等を起こす危険性が生ずる。なお、外周端部に図８に示すような切り欠き等がある場合は切り欠き端部からの距離である。また、中心線からの距離は２ｍｍ以上が好ましい。前記距離が２ｍｍ未満になると、磁気パターンへの影響が懸念される。
【００３９】
図７（ｂ）に示すように、識別用の溝５ｃをマグネットロール用磁石５の側面５ｄに形成した場合には、磁気パターンへの影響はより少なくなるが、成形性等を考慮して側面上部からの距離Ｔを０．２ｍｍ〜２．５ｍｍとすることが好ましい。前記距離Ｔが０．２ｍｍ未満であると、溝５ｃと側面上端部との間の部分が微細なものとなり、成形時に削れや欠け、脱落等を起こす危険性が生ずる。なお、外周端部に図８に示すような切り欠き５ｅ等がある場合は、前記距離Ｔは切り欠き５ｅの端部からの距離である。逆に、前記距離Ｔが２．５ｍｍを超えると、マグネットロール用磁石５の寸法の小さな部分に溝５ｃが形成されることになり、強度等の観点から好ましくない。
【００４０】
実際、本発明者らは、図４あるいは図７（ａ）〜（ｄ）に示す位置及び形状の溝を形成し、溝を形成していないマグネットロール用磁石と磁気パターンを比較した。図９に図４に対応するマグネットロール用磁石の磁気パターンを、図１０（ａ）〜（ｄ）に図７（ａ）〜（ｄ）に対応するマグネットロール用磁石の磁気パターンを、図１１（ａ）、（ｂ）に磁気パターンピーク位置を断面中央からずらしたマグネットロール用磁石において溝を形成した例とそのときの磁気パターンを示した。また、比較のため、図１２（ａ）に溝を形成していないマグネットロール用磁石の磁気パターンを示し、図１２（ｂ）に中心線位置に溝を施したマグネットロール用磁石の磁気パターンを各々示した。なお、これら各図においては、図中に磁力波形として磁気パターンを示してあるが、実線（磁石出力波形）は実際の磁石の磁気パターンを、破線（標準磁石波形）は溝無し形状とした以外は同一である磁石の磁気パターンを、それぞれ示す。さらに、表１には各パターンにおいて施した溝の寸法、形状を示した。なお、表１に表記した各種寸法は、図１３に示す各寸法ｔ（外周端部からの距離）、Ｔ（側面上端部からの距離）、Ｓ（ピーク位置からの距離）、ｄ１，ｄ２（溝深さ）、ｗ１，ｗ２（溝幅）に対応するものである。
【００４１】
【表１】
2007108520.tif 000003
【００４２】
その結果、いずれの場合にも実質的に磁気パターンは変化していないことがわかった。これに対して、識別用の溝をマグネットロール用磁石の外周面中心線位置に形成した場合には、ピーク位置にて磁気パターンが分裂してしまっており、影響が大きいことがわかった。
【００４３】
一方、前記識別用の溝自体の寸法としては、溝の深さは０．２ｍｍ〜１ｍｍとすることが好ましく、溝の幅も０．２ｍｍ〜２ｍｍとすることが好ましい。前記溝の深さや幅が０．２ｍｍ未満であると、識別が困難になり、また識別性を向上するために色彩を施した場合に、彩色のための塗料が剥がれ易くなる。逆に、前記溝の深さや幅を１ｍｍ以上、あるいは２ｍｍ以上とすると、マグネットロール用磁石の磁気特性（磁気パターン等）に影響を及ぼすおそれがある。
【００４４】
マグネットロールの組み立てに際しては、例えば前記マグネットロール用磁石５〜９を所定の順番でシャフト４に接着する必要があるが、前記のようにマグネットロールに識別用の溝を設けておくことで、外観から容易にマグネットロール用磁石５〜９の種類、方向等を把握することができる。したがって、マグネットロール用磁石の誤接着を確実に防止することができ、作業効率も向上することができる。
【図面の簡単な説明】
【００４５】
【図１】現像ロールを中心断面方向から見た模式図である。
【図２】マグネットロールの分解斜視図である。
【図３】現像ロールの概略断面図である。
【図４】識別用の溝を設けたマグネットロール用磁石の形状例を示す概略正面図である。
【図５】識別用の溝によるマグネットロール用磁石の識別の一例を示す模式図である。
【図６】識別用の溝によりマグネットロール用磁石の方向を識別する例を示す模式図である。
【図７】（ａ）〜（ｄ）は、それぞれ識別用の溝を設けたマグネットロール用磁石の他の形状例を示す概略正面図である。
【図８】切り欠きを設けたマグネットロール用磁石に識別用の溝を設けた場合の形状例を示す概略正面図である。
【図９】実線は図４に対応する形状のマグネットロール用磁石の磁気パターンである。
【図１０】（ａ）〜（ｄ）は、それぞれ図７（ａ）〜（ｄ）に対応する識別用の溝を設けた場合のマグネットロール用磁石の磁気パターンである。
【図１１】磁気パターンピーク位置が断面中央からずらしたマグネットロール用磁石において溝を形成した例とそのときの磁気パターンを示す図である。
【図１２】（ａ）は識別用の溝を設けなかった場合のマグネットロール用磁石の磁気パターンであり、（ｂ）は外周部中央に溝を設けたマグネットロール用磁石の磁気パターンである。
【図１３】表１にて用いたマグネットロール用磁石に設けられた溝における各種寸法の位置関係を図示した図面である。
【符号の説明】
【００４６】
１  現像ロール、２  スリーブ、３  マグネットロール、４  シャフト、５，６，７，８，９  マグネットロール用磁石、５ａ  内周面、５ｂ  外周面、５ｃ  識別用の溝、５ｄ  側面
【図１】
2007108520.tif 000004
【図２】
2007108520.tif 000005
【図３】
2007108520.tif 000006
【図４】
2007108520.tif 000007
【図５】
2007108520.tif 000008
【図６】
2007108520.tif 000009
【図７】
2007108520.tif 000010
【図８】
2007108520.tif 000011
【図９】
2007108520.tif 000012
【図１０】
2007108520.tif 000013
【図１１】
2007108520.tif 000014
【図１２】
2007108520.tif 000015
【図１３】
2007108520.tif 000016